(57)【特許請求の範囲】
【請求項１】
略コ字形に形成された複数の腕部の端部同士を接続することによって構成された腕部群と、前記腕部群の両端部にそれぞれ接続され同軸上に略整列する二つの軸部と、を有し、前記各軸部の軸周りに回動自在である主要部と、
前記各軸部の前記腕部群と接続されていない端部にそれぞれ設けられた被吊り下げ部と、
前記各腕部の前記略コ字形の側部を構成するとともに、前記軸部に対して偏心軸となっている部分にそれぞれ設けられ、該偏心軸の軸周りに回動自在である吊り下げ部材と、
前記各吊り下げ部材に着脱自在に一端を設けられ、他端を荷物に係止されるワイヤロープと、
を備え、
ひとつひとつの前記腕部の略コ字形の上部、または、底部によって、前記各軸部の軸方向と直交する平面を略等分するように、前記各腕部および前記各軸部がそれぞれ接続されている角度が設定され、
前記各被吊り下げ部が荷物吊り下げ装置によりそれぞれ吊り下げ支持されることによって、前記各軸部の軸方向が略水平に保たれ、
前記各軸部の軸方向が略水平に保たれた状態で前記主要部が回動するときに、前記各ワイヤロープが前記主要部に絡まないように、前記各腕部および前記各軸部がそれぞれ接続されている角度と、前記各吊り下げ部材が設けられている位置と、前記各腕部の寸法と、がそれぞれ設定されていること、
を特徴とする荷物吊り治具。
【発明の詳細な説明】
【０００１】
【発明の属する技術分野】
本発明は、クレーン等の荷物吊り下げ装置に取り付けられている荷物吊り治具に関するものである。
【０００２】
【従来の技術】
建築現場等で、例えば、ＰＣ版（Ｐｒｅｃａｓｔ  Ｃｏｎｃｒｅｔｅ  Ｐａｎｅｌ）等の荷物を設置位置に移動させるために、クレーン等の荷物吊り下げ装置が用いられている。
これらクレーン等の荷物吊り下げ装置には、例えば、荷物吊り下げ用のフックが設けられている。
従来、クレーン等の荷物吊り下げ装置による荷物の吊り下げは、ひとつの荷物が前記フックにより係止された状態にした後、ブームを上昇させて行っていた。
【０００３】
また、例えば、偏心荷重を持つ荷物や、階段登梁等の、傾斜させた状態で設置する荷物を吊り下げる場合には、天秤状の形状の荷物吊り治具が用いられていた。
この天秤状の形状の荷物吊り治具は、クレーンに設けられた、荷物吊り下げ用のフックに吊り下げられ、該天秤状の荷物吊り治具の両端には、ワイヤロープを介して、荷物吊り下げ用のフックがそれぞれ吊り下げられていた。
このような荷物吊り治具を用いた荷物の吊り下げは、荷物吊り下げ用のフックをそれぞれ荷物に係止した後、クレーンのブームを上昇させるなどして行っていた。
ここで、吊り下げ中において、偏心荷重を持つ荷物の平衡を保ったり、階段登梁等の傾斜を保ったりするためには、天秤状の形状の吊り治具からのワイヤロープの吊り下げ位置を調節したり、ワイヤロープの長さを調節したりして対応していた。
【０００４】
【発明が解決しようとする課題】
しかしながら、上記の従来の技術では、いずれの手段によっても、一つ一つの荷物に対して、荷物を吊り下げた後、荷物を設置位置に移動させ、その位置で荷物を設置するといった作業を繰り返す必要があったり、また、吊り下げる荷物の種類に応じて、クレーンフックに天秤状の荷物吊り治具等を着脱する必要があったりしたため、荷物の吊り下げ作業の効率が悪かった。
【０００５】
そこで、本発明の目的は、荷物の吊り下げ作業時間の短縮と、偏心荷重を持つ荷物の水平状態での吊り下げと、傾斜を持たせて設置する荷物に好適な吊り下げを可能とする荷物吊り治具を提供することにある。
【０００６】
【課題を解決するための手段】
以上の課題を解決すべく請求項１記載の発明は、荷物吊り治具であって、
略コ字形に形成された複数の腕部の端部同士を接続することによって構成された腕部群と、前記腕部群の両端部にそれぞれ接続され同軸上に略整列する二つの軸部と、を有し、前記各軸部の軸周りに回動自在である主要部と、
前記各軸部の前記腕部群と接続されていない端部にそれぞれ設けられた被吊り下げ部と、
前記各腕部の前記略コ字形の側部を構成するとともに、前記軸部に対して偏心軸となっている部分にそれぞれ設けられ、該偏心軸の軸周りに回動自在である吊り下げ部材と、
前記各吊り下げ部材に着脱自在に一端を設けられ、他端を荷物に係止されるワイヤロープと、
を備え、
ひとつひとつの前記腕部の略コ字形の上部、または、底部によって、前記各軸部の軸方向と直交する平面を略等分するように、前記各腕部および前記各軸部がそれぞれ接続されている角度が設定され、
前記各被吊り下げ部が荷物吊り下げ装置によりそれぞれ吊り下げ支持されることによって、前記各軸部の軸方向が略水平に保たれ、
前記各軸部の軸方向が略水平に保たれた状態で前記主要部が回動するときに、前記各ワイヤロープが前記主要部に絡まないように、前記各腕部および前記各軸部がそれぞれ接続されている角度と、前記各吊り下げ部材が設けられている位置と、前記各腕部の寸法と、がそれぞれ設定されていること、
を特徴としている。
【０００７】
前記各腕部は、例えば、Ｌ字型の鋼管と、円筒形状の鋼管とを組み合わせて溶接することにより、略コ字形に形成されている。そして、三つの該各腕部の端部同士を接続することにより前記腕部群が構成されている。
【０００８】
前記各軸部は、例えば、円筒形状の鋼管を用いて作られている。これら軸部は、同軸上に略整列するように、前記腕部群の両端部に接続されている。
前記各腕部と、該各軸部とで、前記主要部が構成されている。
【０００９】
ここで、前記各軸部の軸方向と直交する平面において、前記各腕部の略コ字形の上部、または、底部によって、該軸方向と直交する平面を略３等分するように、前記腕部群が形成されている。
【００１０】
前記各被吊り下げ部は、例えば、板型の形状に形成されている。
また、該各被吊り下げ部の下部には、該各被吊り下げ部に前記各軸部を挿通するための挿通孔が設けられている。この各挿通孔を該各軸部に外挿することにより、該各被吊り下げ部が該各軸部の前記腕部群と接続されていない端部に設けられている。このとき、該各被吊り下げ部は、該軸部の軸周りに回動自在となっている。
【００１１】
従って、該各被吊り下げ部を吊り下げた状態では、前記主要部が前記軸部の軸周りに回動自在となるようになっている。
【００１２】
前記各吊り下げ部材は、例えば、板型形状に形成されている。
また、該各吊り下げ部材の上部には、該各吊り下げ部材に前記各腕部を挿通するための挿通孔が設けられている。この各挿通孔を該各腕部に外挿することにより、該各吊り下げ部材が該各腕部の前記略コ字形の側部を構成する偏心軸に設けられている。このとき、該各吊り下げ部は前記偏心軸を軸にそれぞれ回動自在となっている。
【００１３】
前記ワイヤロープを介して前記各吊り下げ部材と前記各荷物とを繋げるために、該各ワイヤロープの上端には、例えば、スナップリングが設けられている。また、該各吊り下げ部材の下部には、該スナップリングを係止するための係止穴が設けられている。そして、該スナップリングが該各係止穴に係止されている。
【００１４】
また、該各ワイヤロープの下端部には、例えば、フックがそれぞれ設けられている。これらのフックは、各荷物に係止するために用いられる。
【００１５】
このようにして、前記主要部（前記各腕部および前記各軸部）、前記吊り下げ部材、前記各ワイヤロープが一体となって、荷物吊り下げ装置から吊り下げられた状態となっている。
このとき、前記各軸部の軸方向が、略水平に保たれるようになっている。
【００１６】
なお、以上において、前記軸部、前記腕部、前記腕部群、前記主要部、前記被吊り下げ部、前記吊り下げ部材の、形状・材質等は、本発明の要旨を逸脱しない範囲で、適宜変更可能である。
また、前記腕部、前記吊り下げ部材、前記ワイヤロープ等の数も、任意である。
【００１７】
請求項１記載の発明によれば、前記腕部が複数設けられ、該各腕部の、前記各吊り下げ部材に、前記各ワイヤロープが設けられているので、一度に複数の荷物を吊り下げることができ、荷物一つ一つについて、吊り下げ位置と、設置位置とを往復する必要がなく、荷物の吊り下げ作業時間が短縮できる。
また、前記主要部が前記各軸部の軸周りに回動自在であり、前記各吊り下げ部材が、前記偏心軸の軸周りにそれぞれ回動自在であり、しかも、前記各軸部の軸方向が略水平に保たれた状態で、前記主要部が前記各軸部の軸周りに回動するときに、前記各ワイヤロープが、前記主要部に絡まないように、前記各腕部および前記各軸部がそれぞれ接続されている角度と、前記各吊り下げ部材が設けられている位置と、前記各腕部の寸法と、がそれぞれ設定され、ひとつひとつの前記腕部の略コ字形の上部、または、底部によって、前記各軸部の軸方向と直交する平面を略等分するように、前記各腕部および前記各軸部がそれぞれ接続されている角度が設定されているので、複数の荷物を吊り下げた場合には、前記各軸部の軸方向は略水平に保たれたまま、各荷物の重量に応じて、各々の重量バランスがとれる状態となるように、前記主要部が、前記軸部の軸周りに回動して、前記軸部の軸方向に直交する方向で、各々の重量バランスがとれた状態で、各荷物を吊り下げることができ、さらに、各荷物を吊り下げる順番と、各荷物を設置位置で取り外す順番とは、それぞれ任意にして、荷物の吊り下げや、荷物の取り外しを行うことができ、加えて、前記主要部がどれだけ回動しても、前記各ワイヤロープが、前記主要部に絡むことがない。
さらに、前記各ワイヤロープの一端は、前記各吊り下げ部材に着脱自在に設けられているため、偏心荷重のある荷物を略水平に保って吊り下げる場合や、傾斜を持たせて設置する荷物を適当な傾斜を持たせて吊り下げる場合には、偏心荷重のある荷物の重量の偏心の度合いや、傾斜を持たせて設置する荷物の、吊り下げ状態における適当な傾斜角度に応じて、簡単に適当な長さの前記ワイヤロープに交換して用いることができ、従って、偏心荷重のある荷物の重量の偏心の度合いや、傾斜を持たせて設置する荷物の、吊り下げ状態における適当な傾斜角度に応じて、偏心荷重のある荷物の重量バランスがとれる状態となるように、あるいは、傾斜を持たせて設置する荷物が適当な傾斜角度になるように、前記主要部が回動して、前記偏心荷重のある荷物を水平状態にして吊り下げたり、傾斜を持たせて設置する荷物を適当な傾斜を持たせた状態にして吊り下げることができる。
加えて、一つの荷物吊り治具を恒常的にクレーン等に取り付けたままで、荷物吊り治具を交換したりすることなく、上述したような多様な吊り動作に対応が可能となる。従って、荷物吊り治具の交換による作業の停滞を解消することができる。
【００１８】
【発明の実施の形態】
以下に、本発明に係る荷物吊り治具の実施の形態例を図１および図２に基づいて説明する。
【００１９】
図１は荷物吊り治具の適用例を示す正面図で、図２の（ａ）は、図１の矢印Ｌ方向から見た側面図、図２の（ｂ）は、図１の矢印Ｌ方向から見た一部破断の側面図である。
【００２０】
先ず、図１において、１は荷物吊り治具である。この荷物吊り治具１の主要部２は、腕部３，３，３により構成された腕部群４と、軸部５，５と、により概略構成されている。
【００２１】
前記腕部３，３，３は、Ｌ字型の鋼管と、円筒形状の鋼管とを組み合わせて接続することにより、略コ字状に形成されている。これら腕部３，３，３の端部同志を接続することによって、図１のように、腕部群４が構成されている。
【００２２】
前記軸部５，５は、円筒形状の鋼管を用いて作られている。これら軸部５，５は、各々の軸方向が同一直線上に整列するように、前記腕部群４の両端部に接続され、腕部群４と、軸部５，５とで主要部２が構成されている。
【００２３】
ここで、図２に示されるように、腕部３，３，３それぞれの、軸部５，５の軸方向に直交する平面における取り付け角度は、各腕部３，３，３の略コ字形の上部、あるいは、底部によって、該方向に直交する平面を略３等分するように、互いにほぼ１２０度ずつ違えて設けられている。
また、前記各腕部３，３，３の前記略コ字形の側部を構成する部分は、それぞれ前記軸部５，５に対する偏心軸３ａ，３ａ，３ａである。
【００２４】
６，６はブラケット（被吊り下げ部）である。該ブラケット６，６は、その上部を構成する台形と、その下部を構成する半円とを繋ぎ合わせたような板型形状に形成されている。
該各半円の部分には、ブラケット６，６に軸部５，５を挿通するための挿通孔６ｓ，６ｓが設けられている。この挿通孔６ｓ，６ｓを軸部５，５に外挿することにより、ブラケット６，６が、軸部５，５の前記腕部群４と接続されていない端部に、それぞれ設けられている。このとき、ブラケット６，６は、軸部５，５の軸周りに回動自在となっている。
【００２５】
さらに、該ブラケット６，６の該各半円の部分には、前記軸部５，５を挿通するための挿通孔６ｓ，６ｓがそれぞれ設けられている。
また、該ブラケット６，６の前記逆台形の部分には、後述するスナップリング１０，１０を係止するための係止穴６ａ，６ａがそれぞれ設けられている。
なお、該ブラケット６，６は、環止め７，７、環止め８，８により、軸部５，５の軸方向の移動範囲が制限されている。また、このブラケット６，６は、図１に示すように、各々の上部が内側に折れ曲がっている。
【００２６】
一方、９，９は荷物吊り治具１を吊り下げるために、図示しない荷物吊り下げ装置のフックＦと荷物吊り治具１との間に介在するワイヤロープである。これらワイヤロープ９，９の下端部には、それぞれスナップリング１０，１０が設けられている。このスナップリング１０，１０はそれぞれ前記ブラケット６，６の係止穴６ａ，６ａに係止されている。
ワイヤロープ９，９の上端部は、それぞれ図示しない荷物吊り下げ装置のフックＦに係止されている。
このようにして、前記荷物吊り治具１は、スナップリング１０，１０、ワイヤロープ９，９を介して、前記フックＦから吊り下がった状態となっている。
ここで、前記荷物吊り治具１は、その軸部５，５の軸方向が略水平に保たれた状態で吊り下げられている。
また、上述したように、前記ブラケット６，６の各々の上部が内側に、換言すれば、ワイヤロープ９，９による引っ張り方向に折れ曲がっているため、主要部２が軸部５，５の軸周りに回動するときの抵抗が小さくなるようになっている。
【００２７】
次に、１１，１１，１１はブラケット（吊り下げ部材）である。このブラケット１１，１１，１１は、それらの上部を構成する半円と、それらの下部を構成する逆台形とを繋ぎ合わせたような板型形状に形成されている。
該各半円の部分には、ブラケット１１，１１，１１に腕部３，３，３の前記略コ字形の側部を挿通するための挿通孔１１ｓ，１１ｓ，１１ｓが設けられている。この挿通孔１１ｓ，１１ｓ，１１ｓを腕部３，３，３の前記略コ字形の側部に外挿することにより、ブラケット１１，１１，１１が、腕部３，３，３の前記略コ字形の側部に設けられている。このとき、ブラケット１１，１１，１１は、前記偏心軸３ａ，３ａ，３ａの軸周りにそれぞれ回動自在となっている。
【００２８】
さらに、該ブラケット１１，１１，１１の下部を構成する前記逆台形の部分には、後述するスナップリング１３，１３，１３を係止するための係止穴１１ａ，１１ａ，１１ａがそれぞれ設けられている。
【００２９】
また、１２，１２，１２は荷物吊り下げ用のワイヤロープ（ワイヤロープ）である。
これらワイヤロープ１２，１２，１２の上端部には、それぞれスナップリング１３，１３，１３が設けられていて、このスナップリング１３，１３，１３はそれぞれ前記ブラケット１１，１１，１１の係止穴１１ａ，１１ａ，１１ａに係止されている。
一方、ワイヤロープ１２，１２，１２の下端部には、それぞれフック１４，１４，１４が設けられている。
【００３０】
また、上記のように、ワイヤロープ１２，１２，１２は、その上端部に設けられたスナップリング１３，１３，１３を介して前記腕部３，３，３の吊り下げ部材１１，１１，１１から吊り下がっているので、ワイヤロープ１２，１２，１２は、簡単に吊り下げ部材１１，１１，１１から取り外すことができる。
従って、異なる長さのワイヤロープ１２，…を、予め作っておけば、必要に応じて、簡単にワイヤロープ１２，…を交換することができる。
なお、異なる長さのワイヤロープ１２，…は、例えば、偏心荷重のある荷物を吊り下げたり、階段登梁等の傾斜を持たせて吊り下げる荷物を吊り下げたりするために用いられる。
【００３１】
以上のように、荷物吊り治具１（主要部２、ブラケット６，６，６、１１，１１，１１、環止め７，７，７，８，８，８、ワイヤロープ１２，１２，１２）が、ワイヤロープ９，９およびスナップリング１０，１０を介して、図示しない荷物吊り下げ装置のフックＦから吊り下げられ、その軸部５，５の軸方向が略水平に保たれた状態となっている。
【００３２】
ここで、このように荷物吊り治具１が吊り下げられた状態において、主要部２が軸部５，５の軸周りに回動したときに、前記ワイヤロープ１２，１２，１２が、主要部２に接触しないように、前記各腕部３，３，３および前記各軸部５，５がそれぞれ接続されている角度と、前記各ブラケット１１，１１，１１が設けられている位置と、前記各腕部３，３，３の寸法と、がそれぞれ設定されている。
【００３３】
従って、主要部２が軸部５，５の軸周りに、どれだけ回動しても、前記ワイヤロープ１２，１２，１２が、主要部２に絡まないようになっている。
【００３４】
以下に、本実施の形態例としての荷物吊り治具の、各使用例について詳細に説明する。
【００３５】
＜第一の使用例＞
第一の使用例では、前記荷物吊り治具１を用いて、３つの荷物を同時に吊り下げ、設置位置に移動させる場合について説明する。
【００３６】
先ず、前記フック１４，１４，１４を、図示しない第一の荷物（最初に設置する荷物）、同じく第二の荷物（二番目に設置する荷物）、同じく第三の荷物（三番目に設置する荷物）にそれぞれ係止して、前記ワイヤロープ１２，１２，１２を各荷物に繋げる。
【００３７】
この状態で、図示しない荷物吊り下げ装置のブームゆっくりと上昇させて、荷物吊り治具１を上昇させるとともに、前記各荷物を吊り下げる。
【００３８】
ここで、前記主要部２（軸部５，５）はブラケット６，６に対して、回動自在となっている。
従って、前記ブームの上昇に伴う前記荷物吊り治具１の上昇と同時に、前記各荷物の重量に応じて、軸部５，５の軸方向に直交する方向で、各荷物の重量バランスがとれる状態となるように、主要部２（腕部群４および軸部５，５）が軸部５，５の軸周りに回動する。
【００３９】
さらにこのとき、ブラケット１１，１１，１１は、前記腕部３，３，３の前記偏心軸３ａ，３ａ，３ａを軸に、それぞれ回動自在になっている。しかも、主要部２が回動するときに、ワイヤロープ１２，１２，１２が、主要部２に絡まないように、腕部３，３，３および軸部５，５がそれぞれ接続されている角度と、腕部３，３，３の前記略コ字形の側部において前記ブラケット１１，１１，１１が設けられている位置と、腕部３，３，３の寸法とがそれぞれ設定されている。
従って、上記のように主要部２が軸部５，５の軸周りに回動するとともに、ブラケット１１，１１，１１も前記腕部３，３，３の前記偏心軸３ａ，３ａ，３ａにおいてそれぞれ回動するので、主要部２がどれだけ回動しても、前記ワイヤロープ１２，１２，１２が主要部２に絡んだりはしない。
【００４０】
このように前記各荷物は、前記ワイヤロープ１２，１２，１２を介して、前記腕部３，３，３から吊り下がった状態となる。
ここで、前記荷物吊り治具１は、各荷物を吊り下げた状態においても、その軸部５，５の軸方向が略水平に保たれている。
そして、この状態のまま、第一の荷物を、その設置場所に移動させた後、フック１４を第一の荷物から取り外す。
【００４１】
このとき、第一の荷物が外されて、初期の状態とは重量バランスが異った状態となるので、第二の荷物と第三の荷物との重量バランスがとれる状態となるように、主要部２が回動する。
【００４２】
このように第二・第三の荷物は、前記ワイヤロープ１２，１２を介して、前記腕部３，３から吊り下がった状態となる。
【００４３】
そして、この状態のまま、第二の荷物をその設置場所に移動させた後、フック１４を第二の荷物から取り外す。
【００４４】
このとき、吊り下げられている荷物が、第三の荷物だけとなるため、第三の荷物が取り付けられているワイヤロープ１２と、このワイヤロープ１２が取り付けられている腕部３の前記略コ字形の上部、および底部が、ほぼ平行になるように、主要部２が回動する。また、ブラケット１１，１１，１１もそれぞれ回動するため、ワイヤロープ１２，１２，１２は、主要部２に絡まない。
【００４５】
そして、最後は、第三の荷物を設置位置に移動させて、フック１４を第三の荷物から取り外す。
他にまだ荷物がある場合は、上記の動作を繰り返す。
【００４６】
このように、本実施の形態例における荷物吊り治具１を、第一の使用例のように用いると、一度に３つの荷物を吊り下げることができ、荷物一つ一つについて、吊り下げ位置と、設置位置とを往復する必要がなく、荷物の吊り下げ作業時間が短縮できる。
【００４７】
また、軸部５，５の軸方向を略水平に保ったまま、各荷物の重量に応じて、各々の重量バランスがとれる状態となって、各荷物を吊り下げることができる。
さらに、フック１４，１４，１４を用いて各荷物を吊り下げる順番と、各荷物を設置位置で取り外す順番とは、それぞれ任意にして、荷物の吊り下げや、荷物の取り外しを行うことができる。
加えて、主要部２がどれだけ回動しても、前記ワイヤロープ１２，１２，１２が主要部２に絡むことを防止できる。
【００４８】
＜第二の使用例＞
第二の使用例では、前記荷物吊り治具１を用いて、偏心荷重を持つ荷物を吊り下げ、設置位置に移動させる場合について、詳細に説明する。
【００４９】
偏心荷重を持つ荷物を吊り下げる場合、原則として、前記軸部５，５の軸方向において、両端側に位置する腕部３，３と、この腕部３，３から吊り下げられたワイヤロープ１２，１２を用いる。
【００５０】
先ず、偏心荷重を持つ荷物が、水平状態で吊り下げられるような、前記ワイヤロープ１２，１２の、各々の長さ、および、前記フック１４，１４の該荷物への係止位置を、予め調べる。
そして、適当な長さの、前記ワイヤロープ１２，１２を、前記腕部３，３の、各々の前記偏心軸３ａ，３ａに係止しておく。
【００５１】
前記フック１４，１４を、前記荷物の前記係止位置に係止し、この状態で、図示しない荷物吊り下げ装置のブームを上昇させて、前記荷物吊り治具１を上昇させるとともに、該荷物を吊り下げる。
【００５２】
またこのとき、前記ブームの上昇に伴う前記荷物吊り治具１の上昇と同時に、前記荷物の重量の偏心の度合いに応じて、該荷物の重量バランスがとれる状態となるように、主要部２が軸部５，５の軸周りに回動する。そして、該荷物は水平性を保たれて吊り下げられた状態となる。
【００５３】
このように前記偏心荷重のある荷物を水平性を保った状態で吊り下げた後、該荷物を、その設置場所に移動させ、フック１４，１４を該荷物から取り外す。
そして、他にまだ荷物がある場合は、上記の動作を繰り返す。
【００５４】
このように、本実施の形態例における荷物吊り治具１を第二の使用例のように用いると、偏心荷重のある荷物の重量の偏心の度合いに応じて、適当な長さのワイヤロープ１２，１２を用いることができ、該荷物を水平状態にして吊り下げることができる。
【００５５】
＜第三の使用例＞
第三の使用例では、前記荷物吊り治具１を用いて、階段登梁等の傾斜を持たせて設置する荷物を吊り下げ、設置位置に移動させる場合について、詳細に説明する。
【００５６】
傾斜を持たせて設置する荷物を吊り下げる場合、第二の使用例と同じく、原則として、前記軸部２，２の軸方向において、両端側に位置する腕部３，３と、この腕部３，３から吊り下げられたワイヤロープ１２，１２を用いる。
【００５７】
先ず、傾斜を持たせて設置する荷物が、適当に傾斜した状態で吊り下げられるような、前記ワイヤロープ１２，１２の、各々の長さ、および、前記フック１４，１４の該荷物への係止位置を、予め調べる。
そして、適当な長さの、前記ワイヤロープ１２，１２を、前記ブラケット１１，１１，１１の係止穴１１ａ，１１ａ，１１ａに係止しておく。
【００５８】
前記フック１４，１４を、前記荷物の前記係止位置に係止し、この状態で、上述した第二の使用例と同様に、図示しない荷物吊り下げ装置のブームを上昇させて、前記荷物吊り治具１を上昇させるとともに、該荷物を吊り下げる。
【００５９】
またこのとき、前記ブームの上昇に伴う前記荷物吊り治具１の上昇と同時に、前記荷物の重量バランスがとれる状態となるように、主要部２が回動する。そして、該荷物は、適当な傾斜を持って吊り下げられた状態となる。
【００６０】
前記荷物を、適当な傾斜を持たせた状態で吊り下げた後、該荷物を、その設置場所に移動させ、フック１４，１４を該荷物から取り外す。
そして、他にまだ荷物がある場合は、上記の動作を繰り返す。
【００６１】
本実施の形態例における荷物吊り治具１を第三の使用例のように用いると、傾斜を持たせて設置する荷物の、吊り下げ状態における適当な傾斜角度に応じて、適当な長さのワイヤロープ１２，１２を用いることができ、該荷物を適当な傾斜を持たせた状態にして吊り下げることができる。
【００６２】
このように、本実施の形態例における荷物吊り治具を用いると、一つの吊り治具を恒常的にクレーン等に取り付けたままで、上述したような多様な吊り動作に対応が可能となる。従って、吊り治具の交換による作業の停滞を解消することができる。
【００６３】
なお、以上において、前記軸部、前記腕部、前記腕部群、前記主要部、前記被吊り下げ部、前記吊り下げ部材の、形状・材質等は、本発明の要旨を逸脱しない範囲で、適宜変更可能である。
また、腕部、吊り下げ部材、ワイヤロープ等の数も任意である。
さらに、前記被吊り下げ部としては上述したもの以外でも、例えば、前記軸部の両端部付近に小径部を設けるだけとし、ここに、ループ状に形成したワイヤロープの下端を係止するといった簡単な方法でもよい。
【００６４】
【発明の効果】
請求項１記載の発明に係る荷物吊り下げ治具によれば、一度に複数の荷物を吊り下げることができ、荷物一つ一つについて、吊り下げ位置と、設置位置とを往復する必要がなく、荷物の吊り下げ作業時間が短縮できる。
また、前記各ワイヤロープに複数の荷物を吊り下げた場合には、前記各軸部の軸方向は略水平に保たれたまま、各荷物の重量に応じて、各々の重量バランスがとれる状態となるように、前記主要部が、前記軸部の軸周りに回動して、前記軸部の軸方向に直交する方向で、各々の重量バランスがとれた状態で、各荷物を吊り下げることができ、さらに、各荷物を吊り下げる順番と、各荷物を設置位置で取り外す順番とは、それぞれ任意にして、荷物の吊り下げや、荷物の取り外しを行うことができ、加えて、前記主要部がどれだけ回動しても、前記各ワイヤロープが、前記主要部に絡むことがない。
さらに、偏心荷重のある荷物の重量の偏心の度合いや、傾斜を持たせて設置する荷物の、吊り下げ状態における適当な傾斜角度に応じて、偏心荷重のある荷物の重量バランスがとれる状態となるように、あるいは、傾斜を持たせて設置する荷物が適当な傾斜角度になるように、前記主要部が回動して、前記偏心荷重のある荷物を水平状態にして吊り下げたり、傾斜を持たせて設置する荷物を適当な傾斜を持たせた状態にして吊り下げることができる。
加えて、一つの荷物吊り治具を恒常的にクレーン等に取り付けたままで、荷物吊り治具を交換したりすることなく、上述したような多様な吊り動作に対応が可能となる。従って、荷物吊り治具の交換による作業の停滞を解消することができる。
【図面の簡単な説明】
【図１】荷物吊り治具の適用例を示す正面図である。
【図２】（ａ）は図１の矢印Ｌ方向から見た側面図であり、（ｂ）は図１の矢印Ｌ方向から見た一部破断の側面図である。
【符号の説明】
１    荷物吊り治具
２    主要部
３    腕部
３ａ  偏心軸
４    腕部群
５    軸部
６    被吊り下げ部（ブラケット）
１１  吊り下げ部材（ブラケット）
１２  ワイヤロープ
【図１】
0003977504.tif 000002
【図２】
0003977504.tif 000003